(57)【要約】【課題】クリック付きボリュームの出力の個体差を較正すること。【解決手段】クリック付きボリューム（ＶＯＬ１，ＶＯＬ２）の各クリック位置に対応するアナログ出力電圧のデジタルデータをキャリブレーションデータとして予め記憶しているキャリブレーションメモリ（２５）を用意し、該クリック付きボリュームの現操作位置に応じて出力されるアナログ出力電圧を変換したデジタルデータを、該キャリブレーションメモリ（２５）内のキャリブレーションデータと比較することにより、該クリック付きボリューム（ＶＯＬ１，ＶＯＬ２）の現操作位置（クリック位置）を特定し、該特定された現操作位置に対応する標準化されたボリューム出力データを生成する。【選択図】図４
2017175456.tif 000002
【特許請求の範囲】
【請求項１】
クリック付きボリュームと、
前記クリック付きボリュームから出力されるアナログ出力電圧をデジタルデータに変換するアナログデジタル変換器と、
前記クリック付きボリュームの各クリック位置に対応する前記デジタルデータをキャリブレーションデータとして予め記憶しているキャリブレーションメモリと、
前記アナログデジタル変換器から出力されるデジタルデータと前記キャリブレーションデータとの比較に基づき、前記クリック付きボリュームの現操作位置を特定する特定部と、
前記特定された現操作位置に対応するボリューム出力データを生成する生成部と、
を備える信号処理装置。
【請求項２】
前記生成されたボリューム出力データの値を識別する情報を表示するディスプレイを備える請求項１の信号処理装置。
【請求項３】
前記生成されたボリューム出力データを信号処理用のパラメータとして利用する手段を備える請求項１又は２の信号処理装置。
【請求項４】
前記クリック付きボリュームは、操作子の移動範囲の終端に至るまでクリック位置が設定されている、請求項１乃至３のいずれかの信号処理装置。
【請求項５】
前記クリック付きボリュームは、操作子の移動範囲の終端の所定範囲が不感帯に設定されている、請求項１乃至３のいずれかの信号処理装置。
【請求項６】
前記キャリブレーションメモリは、前記クリック付きボリュームの各クリック位置に対応する前記デジタルデータを実際に測定した結果を前記キャリブレーションデータとして記憶したものである、請求項１乃至５のいずれかの信号処理装置。
【請求項７】
前記クリック付きボリュームの操作を禁止することが指示されたとき、前記ボリューム出力データの値が変化しないようにロックする手段を備える請求項１乃至６のいずれかの信号処理装置。
【請求項８】
複数の前記クリック付きボリュームを備えており、
前記キャリブレーションメモリは、各クリック付きボリューム毎に前記キャリブレーションデータを記憶しており、
前記特定部は、各クリック付きボリューム毎に、前記ＡＤ変換器から出力されるデジタルデータと対応する前記キャリブレーションデータとの比較に基づき、前記クリック付きボリュームの現操作位置を特定し、
前記生成部は、各クリック付きボリューム毎に、前記特定された現操作位置に対応するボリューム出力データを生成する、請求項１乃至７のいずれかの信号処理装置。
【請求項９】
前記複数のクリック付きボリュームは、それぞれ、同一種類のパラメータ設定を行うものである、請求項８の信号処理装置。
【発明の詳細な説明】
【技術分野】
【０００１】
この発明は、オーディオアンプあるいはオーディオミキサなどのオーディオ信号処理装置、あるいはビデオミキサなどのビデオ信号処理装置など、人手によって操作されるボリュームを備えた信号処理装置に関し、特に、クリック付きボリューム出力のキャリブレーション機能を備えた信号処理装置に関する。
【背景技術】
【０００２】
ミキサー、オーディオ機器、電子楽器等様々な応用機器において、ユーザ操作に応じて分圧比が可変設定されるボリューム（可変抵抗器）を用いて所望のパラメータ設定を行うことが従来より知られている（例えば特許文献１）。そのようなボリュームにあって、操作子（つまみ）の所定操作位置毎にクリック感を得られるようにしたクリック付きボリュームが知られている。クリック付きボリュームにあっては、ユーザは、現在の操作位置をクリック位置から知覚できるので、使い勝手がよい。その反面、もしボリューム出力特性の個体差を較正しないとすると、同じクリック位置であっても、ボリュームの個体差によって、それぞれのボリュームによる音量レベル等の設定状態が幾分異なってしまうことになり、クリック位置を知覚できるが故に、ユーザは違和感を抱き易い。
【先行技術文献】
【特許文献】
【０００３】
【特許文献１】特開平５−２４３８７５号公報
【発明の概要】
【発明が解決しようとする課題】
【０００４】
本発明は、上述の点に鑑みてなされたもので、クリック付きボリュームの出力の個体差を較正するためのキャリブレーション機能を備えた信号処理装置を提供しようとするものである。
【課題を解決するための手段】
【０００５】
本発明に係る信号処理装置は、クリック付きボリュームと、前記クリック付きボリュームから出力されるアナログ出力電圧をデジタルデータに変換するアナログデジタル変換器と、前記クリック付きボリュームの各クリック位置に対応する前記デジタルデータをキャリブレーションデータとして予め記憶しているキャリブレーションメモリと、前記アナログデジタル変換器から出力されるデジタルデータと前記キャリブレーションデータとの比較に基づき、前記クリック付きボリュームの現操作位置を特定する特定部と、前記特定された現操作位置に対応するボリューム出力データを生成する生成部とを備える。
【０００６】
本発明によれば、クリック付きボリュームの各クリック位置に対応するアナログ出力電圧のデジタルデータをキャリブレーションデータとして予め記憶しているキャリブレーションメモリを用意し、該クリック付きボリュームの現操作位置に応じて出力されるアナログ出力電圧を変換したデジタルデータを前記キャリブレーションデータと比較することにより、該クリック付きボリュームの現操作位置を特定し、該特定された現操作位置に対応するボリューム出力データを生成するので、装備されたクリック付きボリュームのアナログ出力電圧の特性に個体差があっても、各クリック位置毎に標準化されたボリューム出力データを生成することができる。従って、ボリュームの個体差に関わりなく、同じクリック位置であれば、共通の（標準化された）ボリューム出力データを得ることができる、という優れた効果を奏する。
【図面の簡単な説明】
【０００７】
【図１】本発明に係る信号処理装置の一実施例であるオーディオアンプ装置の一例を示すブロック図。
【図２】図１のオーディオアンプ装置の前面パネルの一例を略示する正面図。
【図３】クリック付きボリュームにおける操作位置対抵抗値の特性の一例を示す図。
【図４】図１のオーディオアンプ装置におけるボリューム操作検出処理の一例を示すフローチャート。
【図５】クリック付きボリュームにおける操作位置対抵抗値の特性の別の例を示す図。
【図６】図１のオーディオアンプ装置の前面パネルの別の例を略示する正面図。
【発明を実施するための形態】
【０００８】
図１は、本発明に係る信号処理装置の一実施例であるオーディオアンプ装置の一例を示す。図１において、オーディオアンプ装置の２つの入力端子ＩＮ１，ＩＮ２には２チャンネル（例えばステレオ左右チャンネル）ＣＨ１，ＣＨ２のアナログのオーディオ信号が入力される。また、オーディオアンプ装置は、２個のクリック付きボリュームＶＯＬ１、ＶＯＬ２を持つ。一方のボリュームＶＯＬ１が第１チャンネルＣＨ１の入力レベル設定装置及び出力レベル設定装置として機能し、他方のボリュームＶＯＬ２が第２チャンネルＣＨ２の入力レベル設定装置及び出力レベル設定装置として機能する。入力レベル調整器１０は、一方のボリュームＶＯＬ１によって設定された入力レベル設定信号Ｖ１inに従って第１チャンネルＣＨ１の入力オーディオ信号のレベルを調整し、他方のボリュームＶＯＬ２によって設定された入力レベル設定信号Ｖ２inに従って第２チャンネルＣＨ２の入力オーディオ信号のレベルを調整するもので、例えば利得制御可能な増幅器（アッテネータ）からなる。
【０００９】
入力レベル調整器１０から出力された２チャンネルのオーディオ信号は、それぞれアナログデジタルコンバータ（ＡＤＣ）１１，１２でデジタル信号に変換され、デジタル信号プロセッサ（ＤＳＰ）１３に入力される。ＤＳＰ１３は、入力された２チャンネルのデジタルオーディオ信号に対して種々の処理（オーディオエフェクト等）をそれぞれ施す。ＤＳＰ１３から出力された２チャンネルのデジタルオーディオ信号は、それぞれデジタルアナログコンバータ（ＤＡＣ）１４，１５でアナログ信号に変換され、出力レベル調整器１６に入力される。出力レベル調整器１６は、一方のボリュームＶＯＬ１によって設定された出力レベル設定信号Ｖ１outに従って第１チャンネルＣＨ１の出力オーディオ信号のレベルを調整し、他方のボリュームＶＯＬ２によって設定された出力レベル設定信号Ｖ２outに従って第２チャンネルＣＨ２の出力オーディオ信号のレベルを調整するもので、利得制御可能な増幅器（アッテネータ）からなる。出力レベル調整器１６でレベル調整された２チャンネルのオーディオ信号は、出力アンプ１７を介して出力端子ＯＵＴ１，ＯＵＴ２からそれぞれ出力される。
【００１０】
各クリック付きボリュームＶＯＬ１、ＶＯＬ２は、公知のように、可変抵抗からなっており、該可変抵抗の可動タップが人手によって操作可能な操作子（つまみ、あるいはノブ等）に結合され、該操作子の動きに伴って動かされることにより、任意の分圧比に設定される。クリック付きボリュームＶＯＬ１、ＶＯＬ２における該操作子の動きは、予め規定されたクリック位置毎に物理的に軽く止められるように構成されており、操作者が各クリック位置を知覚できるようになっている。図２において、各クリック付きボリュームＶＯＬ１、ＶＯＬ２は、一例として回転型のボリュームからなっており、該ボリュームの操作子（回転ノブ）ＲＮ１，ＲＮ２の外周を取り巻くパネル面上の部位には、各クリック位置を示す指標としての目盛が刻まれている。勿論、本発明におけるクリック付きボリュームとは、回転型のボリュームに限らず、フェーダ又はスライダのような直線型のボリュームであってもよい。
【００１１】
図１において、各クリック付きボリュームＶＯＬ１、ＶＯＬ２はマイクロコンピュータユニット２０に接続されており、該各ボリュームＶＯＬ１、ＶＯＬ２の操作子ＲＮ１，ＲＮ２の現操作位置に対応する分圧出力電圧が該マイクロコンピュータユニット２０に取り込まれる。取り込まれた各ボリュームＶＯＬ１、ＶＯＬ２の分圧出力電圧（現操作位置を示す電圧）は、マイクロコンピュータユニット２０に内蔵されたアナログデジタルコンバータ（ＡＤＣ）２１によって、それぞれデジタルデータに変換される。マイクロコンピュータユニット２０は、更に、プロセッサ（ＣＰＵ）２２、リードオンリメモリ（ＲＯＭ）２３、ランダムアクセスメモリ（ＲＡＭ）２４、フラッシュメモリ２５等、公知の要素を備える。非一過性の記憶媒体であるＲＯＭ２３には、本実施例に係るキャリブレーションをＣＰＵ２２に実行させるためのアプリケーションプログラムが記憶されている。
【００１２】
実施例におけるクリック付きボリュームＶＯＬ１、ＶＯＬ２の操作位置と該操作位置に対応して設定されるレベル設定情報（アッテネータ値）との関係を、図２を参照して説明する。クリック付きボリュームＶＯＬ１の操作子（回転ノブ）ＲＮ１のインジケータが指し示す位置が現操作位置であり、該操作子ＲＮ１は、最左端位置（例えば−∞位置）から最右端位置（例えば０位置）までの略３３０度程度の範囲内において回転可能である。最左端の−∞位置では、最大減衰値−∞ｄＢに設定される。最右端の０位置では、最小減衰値０ｄＢに設定される。−∞位置から０位置までの間の複数のクリック位置では、−∞ｄＢから０ｄＢまでの範囲を適宜の特性で分割した減衰値に設定される。クリック付きボリュームＶＯＬ２についても同様である。なお、説明の便宜上図２において各ボリュームＶＯＬ１，ＶＯＬ２の前記−∞位置及び０位置を「（−∞）」及び「（０）」として図示したが、実際のパネル面においてこれらの表示が明示されている必要はない。
【００１３】
図３は、クリック付きボリュームＶＯＬ１（又はＶＯＬ２）の操作位置と抵抗値との関係の一例を示す特性図である。図３の例では、ボリュームＶＯＬ１（又はＶＯＬ２）の操作位置の略全域にわたって略リニアな抵抗値変化特性を示しているので、ボリュームＶＯＬ１（又はＶＯＬ２）の操作位置の略全域を有効範囲として利用して出力を生成することができる。それ故に、図２の例においては、各クリック付きボリュームＶＯＬ１，ＶＯＬ２は、操作子の移動範囲の終端（左右両端）に至るまでクリック位置が設定されている。
【００１４】
事前のキャリブレーションデータ作成処理として、各クリック付きボリュームＶＯＬ１，ＶＯＬ２の個体毎に固有のキャリブレーションデータが、それぞれすべてのクリック位置に対応づけて測定され、フラッシュメモリ２５内に記憶されている。事前のキャリブレーションデータ作成処理の手法としては、例えば、当該クリック付きボリュームＶＯＬ１（又はＶＯＬ２）を各クリック位置に順次操作し、各クリック位置に対応して出力されるアナログ出力電圧をＡＤＣ２１を介してデジタルデータに変換し、該デジタルデータを当該クリック位置に対応づけてフラッシュメモリ２５内に記憶する。こうして、各クリック付きボリュームＶＯＬ１，ＶＯＬ２の個体毎に、すべてのクリック位置に対応して記憶された前記デジタルデータがキャリブレーションデータであり、フラッシュメモリ２５はキャリブレーションデータを予め記憶したキャリブレーションメモリとして機能する。
【００１５】
図４は、ＣＰＵ２２によって実行されるボリューム操作検出処理の一例を示すフローチャートである。このボリューム操作検出処理は、ボリュームＶＯＬ１、ＶＯＬ２毎に例えば定期的なスキャン処理として実行される。ステップＳ１では、ユーザによってロック指示がなされているか否かをチェックし、ロック指示がなされている場合は、ボリューム操作検出処理を終了する。ロック指示がなされていない場合は、ボリューム操作検出処理を続行し、ステップＳ２に進む。ステップＳ２では、現在のスキャンの対象であるボリュームＶＯＬ１（又はＶＯＬ２）のアナログ出力電圧をデジタル変換したデジタルデータを取得する。
【００１６】
次に、ステップＳ３では、取得したデジタルデータとキャリブレーションメモリ（フラッシュメモリ２５）内の当該ボリュームＶＯＬ１（又はＶＯＬ２）のキャリブレーションデータとを比較し、該デジタルデータに一致するキャリブレーションデータに対応するクリック位置を、当該ボリュームＶＯＬ１（又はＶＯＬ２）の現操作位置として、特定する。
【００１７】
ステップＳ４では、該特定されたクリック位置（現操作位置）に対応するボリューム出力データを生成する。例えば、ＲＯＭ２３又はその他の適宜の不揮発的記憶媒体内に標準データテーブルを有しており、この標準データテーブル内に、すべてのクリック位置の各々に対応して、標準化されたボリューム出力データを記憶している。ステップＳ４では、この標準データテーブルを参照して、前記特定されたクリック位置（現操作位置）に対応する特定の標準化されたボリューム出力データを該テーブルから読み出す。このように各クリック位置に対応して標準化されたボリューム出力データを生成することにより、ボリュームＶＯＬ１、ＶＯＬ２の個体差に関わりなく、個々のクリック位置に固有のボリューム出力データ（標準化されたボリューム出力データ）が生成されることになる。なお、生成したボリューム出力データは利用に供するために適宜バッファ記憶される。
【００１８】
次に、ステップＳ５では、現在検出処理中のボリュームＶＯＬ１（又はＶＯＬ２）が入力レベル調整用又は出力レベル調整用のどちらとして機能しているかを判定して、入力レベル調整用として機能しているならば前記ステップＳ４で生成したボリューム出力データを前記入力レベル設定信号Ｖ１in（又はＶ２in）として利用するようにバッファ記憶し、出力レベル調整用として機能しているならば前記ステップＳ４で生成したボリューム出力データを前記出力レベル設定信号Ｖ１out（又はＶ２out）として利用するようにバッファ記憶する。各ボリュームＶＯＬ１、ＶＯＬ２を入力レベル調整用又は出力レベル調整用のどちらとして機能させるかは、ユーザによって随時選択可能である。例えば、前面パネルに設けられた選択ボタンの操作によって入力レベル調整用又は出力レベル調整用の選択が可能なように構成してよい。１つのボリュームを入力レベル調整用と出力レベル調整用に共用しない場合は、このステップＳ５は省略してよい。
【００１９】
なお、ステップＳ５でバッファ記憶された各レベル設定信号Ｖ１in、Ｖ２in、Ｖ１out又はＶ２outは、次のスキャン時にその値が更新されるまで記憶保持される。従って、ユーザによってロック指示がなされたときは、ステップＳ１でＹＥＳに分岐して実質的なボリューム操作検出処理を行うことなく図４の処理が終了するので、各レベル設定信号Ｖ１in、Ｖ２in、Ｖ１out、Ｖ２outの値がロック指示直前の値のまま保持されることになる。従って、ユーザによってロック指示がなされたときは、第３者がいたずら等によってボリュームＶＯＬ１、ＶＯＬ２を出鱈目に操作したとしても、各レベル設定信号Ｖ１in、Ｖ２in、Ｖ１out、Ｖ２outの値が変更されることがないので、セキュリティを保つことができる。ユーザによるロック指示は、例えば、メニューボタン３１を操作してディスプレイ３０の画面にメニューを表示させて、ロック指示アイコンを選択することにより、行うことができる。
【００２０】
次に、ステップＳ６では、前記ステップＳ３で生成したボリューム出力データの値を識別する情報（すなわち、Ｖ１in、Ｖ２in、Ｖ１out、又はＶ２outの値を識別する情報）をディスプレイ３０上で表示する。例えば、図２のディスプレイ３０の画面の左側で一方のボリュームＶＯＬ１のボリューム出力データの値を識別する情報（例えば現操作位置に対応するデシベル値）を表示し、該画面の右側で他方のボリュームＶＯＬ２のボリューム出力データの値を識別する情報（例えば現操作位置に対応するデシベル値）を表示する。なお、この表示は、常時行ってもよいが、ボリューム操作イベントがあったとき及び／又はボリューム設定値確認リクエストがユーザによってなされときなど、一時的に表示されるものであってもよい。また、このステップＳ６は省略可能である。
【００２１】
図５は、クリック付きボリュームＶＯＬ１（又はＶＯＬ２）の操作位置と抵抗値との関係の別の例を示す特性図である。図５の例では、ボリュームＶＯＬ１（又はＶＯＬ２）の操作位置の両端の所定範囲Ｘ，Ｙにおいて変化に乏しい極限的な抵抗値を示し（所定範囲Ｘでは略抵抗値０、所定範囲Ｙでは略最大抵抗値）、それ以外の領域において略リニアな抵抗値変化特性を示しているので、ボリュームＶＯＬ１（又はＶＯＬ２）の操作位置の両端の所定範囲Ｘ，Ｙを除外した領域を有効範囲として利用して出力を生成するものとする。
【００２２】
図６は、図５のような特性を持つクリック付きボリュームＶＯＬ１及びＶＯＬ２に適したオーディオアンプ装置の前面パネルの例を略示する正面図である。この場合、各クリック付きボリュームＶＯＬ１及びＶＯＬ２は、前記所定範囲Ｘ，Ｙに対応する操作子の移動範囲の終端（左右両端）の所定範囲が不感帯３２ｘ，３２ｙ、３３ｘ，３３ｙに設定される。一例として、各クリック付きボリュームＶＯＬ１及びＶＯＬ２の操作子は、不感帯３２ｘ，３２ｙ、３３ｘ，３３ｙに入らないように、例えば略３００度程度の有効範囲内において回転可能なように構成されている。あるいは、各クリック付きボリュームＶＯＬ１及びＶＯＬ２の操作子の動きが、有効範囲を越えて不感帯３２ｘ，３２ｙ、３３ｘ，３３ｙ内に入りうるように構成されていてもよい。その場合、各不感帯３２ｘ，３２ｙ、３３ｘ，３３ｙ内にはクリック位置が設定されておらず、各終端のクリック位置に対応する最大減衰値−∞ｄＢ又は最小減衰値０ｄＢに対応する出力が生じるだけである。
【００２３】
以上のように、本実施例によれば、クリック付きボリュームＶＯＬ１又はＶＯＬ２の各クリック位置に対応するアナログ出力電圧のデジタルデータをキャリブレーションデータとして予め記憶しているキャリブレーションメモリ（フラッシュメモリ２５）を用意し、該クリック付きボリュームの現操作位置に応じて出力されるアナログ出力電圧を変換したデジタルデータを前記キャリブレーションデータと比較することにより、該クリック付きボリュームＶＯＬ１又はＶＯＬ２の現操作位置を特定し、該特定された現操作位置に対応するボリューム出力データを生成するので、装備されたクリック付きボリュームＶＯＬ１又はＶＯＬ２のアナログ出力電圧の特性に個体差があっても、各クリック位置毎に標準化されたボリューム出力データを生成することができる。従って、ボリュームの個体差に関わりなく、同じクリック位置であれば、共通の（標準化された）ボリューム出力データを得ることができる、という優れた効果を奏する。
【００２４】
これにより、特に、例えば同じ信号処理装置内に複数のクリック付きボリュームＶＯＬ１及びＶＯＬ２を具備しているような場合に、各ボリューム毎の個体差をユーザに感じさせることがないので、ユーザに対して違和感を抱かせない、という優れた効果を奏する。そのような効果は、例えば各クリック付きボリュームＶＯＬ１及びＶＯＬ２がそれぞれ同一種類のパラメータ設定（例えば音量設定）を行うような場合に、特に顕著となる。例えば、上記実施例のように左右チャンネルのオーディオ信号に対して別々のクリック付きボリュームＶＯＬ１及びＶＯＬ２で音量調整するような場合、ユーザにとって両者による音量調整状態は自然に対比して知覚しうる状態となるが、本実施例によれば、ボリュームＶＯＬ１及びＶＯＬ２の個体差に関わりなく、同じクリック位置で同じ音量設定が行われることになるので、全く違和感を抱かせないものとなる。
【００２５】
本発明において、クリック付きボリュームによる設定又は調整の対象となるパラメータは、上記実施例のような音量に限らず、音色、音高、楽音効果等その他任意の種類のパラメータであってよい。また、１つの信号処理装置に複数のクリック付きボリュームを備える場合は、それら複数のクリック付きボリュームが、同一種類のパラメータを設定又は調整するように構成されることに限らず、互いに異なる種類のパラメータを設定又は調整するように構成されていてもよい。
【００２６】
上記実施例において、ＣＰＵ２２により図４のステップＳ３の処理を実行する構成が、アナログデジタル変換器２１から出力されるデジタルデータとキャリブレーションメモリ（フラッシュメモリ２５）内のキャリブレーションデータとの比較に基づき、クリック付きボリュームＶＯＬ１又はＶＯＬ２の現操作位置を特定する特定部として機能する。また、ＣＰＵ２２により図４のステップＳ４の処理を実行する構成が、前記特定された現操作位置に対応するボリューム出力データを生成する生成部として機能する。しかし、本発明の実施にあたっては、これらの特定部及び生成部（更にはその他の各種機能ブロック）を、上記実施例のようにプロセッサ（ＣＰＵ２２）とソフトウェアプログラムの組み合わせで構成する実施形態に限らず、専用のハードウェア装置（電子回路等）で構成する実施形態を採用してもよい。
【符号の説明】
【００２７】
ＶＯＬ１，ＶＯＬ２  クリック付きボリューム
ＲＮ１，ＲＮ２  ボリュームの操作子（回転ノブ）
１０  入力レベル調整器
１６  出力レベル調整器
２０  マイクロコンピュータユニット
２１  アナログデジタルコンバータ（ＡＤＣ）
２２  プロセッサ（ＣＰＵ）
２３  リードオンリメモリ（ＲＯＭ）
２４  ランダムアクセスメモリ（ＲＡＭ）
２５  フラッシュメモリ
【図１】
2017175456.tif 000003
【図２】
2017175456.tif 000004
【図３】
2017175456.tif 000005
【図４】
2017175456.tif 000006
【図５】
2017175456.tif 000007
【図６】
2017175456.tif 000008